【手続補正書】
【提出日】平成17年7月14日(2005.7.14)
【手続補正１】
【補正対象書類名】明細書
【補正対象項目名】特許請求の範囲
【補正方法】変更
【補正の内容】
【特許請求の範囲】
【請求項１】 （ａ）約９９．９９体積％〜約９８体積％のキャリヤー液と、（ｂ）約０．０１体積％〜約２体積％の非金属粒子とから成る安定なコロイド流体であって、コロイド流体は、約５０ガウス未満の飽和磁化を有することを特徴とするコロイド流体。
【請求項２】 前記粒子は、磁性粒子であることを特徴とする請求項１記載のコロイド流体。
【請求項３】 約０．０１体積％〜２体積％未満の前記粒子を含むことを特徴とする請求項２記載のコロイド流体。
【請求項４】 約０．０２体積％〜約１体積％の前記粒子を含むことを特徴とする請求項３記載のコロイド流体。
【請求項５】 前記粒子は、非磁性粒子であることを特徴とする請求項１記載のコロイド流体。
【請求項６】 約０．０１体積％〜約０．５体積％未満の前記粒子を含むことを特徴とする請求項５記載のコロイド流体。
【請求項７】 約０．０５体積％〜約０．３体積％未満の前記粒子を含むことを特徴とする請求項６記載のコロイド流体。
【請求項８】 少なくとも約１０9 オーム・センチメートルの電気抵抗率を有することを特徴とする請求項１記載のコロイド流体。
【請求項９】 約１０9 オーム・センチメートル〜約１０13オーム・センチメートル以上の電気抵抗率を有することを特徴とする請求項８記載のコロイド流体。
【請求項１０】 前記キャリヤー液は、油であることを特徴とする請求項１記載のコロイド流体。
【請求項１１】 前記粒子は、無機粒子、有機粒子及び炭素粒子から成る群から選択されることを特徴とする請求項１記載のコロイド流体。
【請求項１２】 前記粒子は、無機粒子であることを特徴とする請求項１１記載のコロイド流体。
【請求項１３】 前記粒子は、金属酸化物から成る群から選択されることを特徴とする請求項１２記載のコロイド流体。
【請求項１４】 前記粒子は、鉄、亜鉛、マンガン、チタン、銅、ニッケル、クロム、及びこれらの組合せから成る群から選択された金属の酸化物であることを特徴とする請求項１３記載のコロイド流体。
【請求項１５】 前記粒子は、有機粒子であることを特徴とする請求項１１記載のコロイド流体。
【請求項１６】 前記粒子は、ポリマー粒子であることを特徴とする請求項１５記載のコロイド流体。
【請求項１７】 前記ポリマーは、弗化ポリマーであることを特徴とする請求項１６記載のコロイド流体。
【請求項１８】 前記ポリマーは、ポリ（テトラフルオロエチレン）であることを特徴とする請求項１７記載のコロイド流体。
【請求項１９】 前記粒子は、炭素粒子であることを特徴とする請求項１１記載のコロイド流体。
【請求項２０】 安定化材料を更に含むことを特徴とする請求項１記載のコロイド流体。
【請求項２１】 前記安定化材料は、界面活性剤であることを特徴とする請求項２０記載のコロイド流体。
【請求項２２】 （ａ）キャリヤー液と、（ｂ）非金属粒子とから成り、約５０ガウス未満の飽和磁化を有することを特徴とする安定な絶縁性コロイド流体。
【請求項２３】 約０ガウス〜約５０ガウス未満の飽和磁化を有することを特徴とする請求項２２記載のコロイド流体。
【請求項２４】 ０ガウスよりも大きく、約５０ガウスよりも小さい飽和磁化を有することを特徴とする請求項２３記載のコロイド流体。
【請求項２５】 約０．５ガウス〜約５０ガウス未満の飽和磁化を有することを特徴とする請求項２４記載のコロイド流体。
【請求項２６】 約２０ガウス〜約４０ガウスの飽和磁化を有することを特徴とする請求項２５記載のコロイド流体。
【請求項２７】 約０．１ガウス〜約５ガウスの飽和磁化を有することを特徴とする請求項２４記載のコロイド流体。
【請求項２８】 約０．５ガウス〜約２ガウスの飽和磁化を有することを特徴とする請求項２７記載のコロイド流体。
【請求項２９】 約１ガウス〜約２０ガウスの飽和磁化を有することを特徴とする請求項２４記載のコロイド流体。
【請求項３０】 約５ガウス〜約２０ガウスの飽和磁化を有することを特徴とする請求項２９記載のコロイド流体。
【請求項３１】 前記粒子の粒度は、約１nm〜約１００nmの範囲にあることを特徴とする請求項２２記載のコロイド流体。
【請求項３２】 前記粒子は、約５nm〜約２０nmの平均粒度を有していることを特徴とする請求項３１記載のコロイド流体。
【請求項３３】 前記粒子は、約７nm〜約２０nmの平均粒度を有していることを特徴とする請求項３２記載のコロイド流体。
【請求項３４】 インパルス破壊電圧の正の値を少なくとも約１０％増大させることを特徴とする請求項２２記載のコロイド流体。
【請求項３５】 飽和磁化が約５０ガウス未満の安定なコロイド流体を調製する方法であって、（ａ）キャリヤー液を準備する段階と、（ｂ）非金属粒子と前記キャリヤー液を組み合わせる段階とから成ることを特徴とする方法。
【請求項３６】 前記キャリヤー液は、油であることを特徴とする請求項３５記載の方法。
【請求項３７】 前記粒子は、無機粒子、有機粒子及び炭素粒子から成る群から選択されることを特徴とする請求項３５記載の方法。
【請求項３８】 前記コロイド流体は、約１０9 オーム・センチメートル以上の電気抵抗率を有することを特徴とする請求項３５記載の方法。
【請求項３９】 電磁装置であって、（ａ）電磁界及び熱を生じさせる手段と、（ｂ）前記電磁装置と接触状態にある安定なコロイド絶縁流体とを有し、該コロイド絶縁流体は、（ｉ）キャリヤー液と、（ii）非金属粒子とから成り、コロイド絶縁流体は、約５０ガウス未満の飽和磁化を有することを特徴とする電磁装置。
【請求項４０】 前記電磁装置は、電力変圧器であることを特徴とする請求項４０記載の電磁装置。
【請求項４１】 外部磁界及び熱を生じさせる電磁装置を絶縁すると共に冷却する方法であって、前記電磁装置を、（ａ）キャリヤー液と、（ｂ）非金属粒子とから成り、飽和磁化が０ガウスよりも大きく約５０ガウスよりも小さい安定なコロイド絶縁流体と接触させることを特徴とする外部磁界及び熱を生じさせる電磁装置を絶縁すると共に冷却する方法。
【手続補正２】
【補正対象書類名】明細書
【補正対象項目名】００２５
【補正方法】変更
【補正の内容】
【００２５】
本発明の或る特定の好ましい実施形態によれば、分散相は、磁性のある材料（即ち、固有の磁気双極子モーメントを有する材料から得られ、磁性と非金属の両方の条件を満足する材料が好ましい。この理由は、分散相が非金属であり且つ磁性である場合に、ＡＣ絶縁耐力の向上と有利な冷却特性の両方が得られることが判明したからである。また、分散相はキューリー温度が約２００℃以上の材料から成ることが好ましい。特に好ましい実施形態では、分散相は、磁性無機材料から成り、磁性金属酸化物がより一層好ましい。これら金属酸化物のうち好ましいものは、例えば鉄の酸化物（例えばＦｅＯ、Ｆｅ2 Ｏ3 及びＦｅ3 Ｏ4 ）、亜鉛（例えばＺｎＯ）、コバルト（例えばＣｏＯ）、マンガン（例えばＭｎＯ、Ｍｎ3 Ｏ4 及びＭｎ2 Ｏ3 ）、チタン（例えばＴｉＯ2 、Ｔｉ2 Ｏ3 ）、銅（例えば、Ｃｕ22 Ｏ）、ニッケル（例えば、ＮｉＯ及びＮｉ2 Ｏ3 ）及びクロム（例えば、Ｃｒ2 Ｏ3 ）である。また、混合状態の金属酸化物が好ましく、かかる金属酸化物としては、例えば鉄及びコバルトの酸化物（例えば、Ｆｅ2 ＣｏＯ4 ）、鉄、マンガン及び亜鉛の酸化物（例えば、Ｍｎx Ｚｎ(1-x) Ｆｅ2 Ｏ4、ここでｘは約０．４〜約０．８の範囲にあるのがよい）、鉄及びコバルト及び亜鉛の酸化物（例えば、Ｃｏx Ｚｎ(1-x) Ｆｅ2 Ｏ4 、ここでｘは約０．２〜約０．６の範囲にあるのがよい））が挙げられる。金属酸化物のうちで特に好ましいものは鉄の酸化物である。また、好ましい形態では、用いられる酸化物は、実質的に温度にも依存する適度に高い磁化レベルを有する。この観点から判断して、Ｍｎx Ｚｎ(1-x)  の酸化物及び鉄の酸化物が最も好ましく、ここでＭｎx Ｚｎ(1-x) の酸化物は、最も過酷な条件（例えば、主変圧器）で用いられるのに特に適し、鉄の酸化物は従来型配電及び電力変圧器に用いられるのに特に適している。
【手続補正３】
【補正対象書類名】明細書
【補正対象項目名】００３３
【補正方法】変更
【補正の内容】
【００３３】
多種多様な表面活性剤を本発明のコロイド中に用いることができる。表面活性剤は、例えば用いる特定の分散及びキャリヤー相並びに所望の用途に応じて陰イオン、陽イオン又は非イオン（ノニオン）であってよい。例示の陰イオン表面活性剤としては例えば、カルボキシ基、スクシナート基、ホスファート基またはスルホナート基を含む長鎖（脂肪）化合物が挙げられる。例示の陽イオン表面活性剤としては例えば、プロトネートされた第４アンモニウム基を含む長鎖化合物が挙げられる。例示の非イオン活性剤としては、例えば、アルコール及びポリオキシアルキレンポリマーが挙げられる。上述の例に加えて、他の界面活性剤及び本発明のコロイドに用いられるのに適した他の任意的に用いられる添加物質は、本明細書の開示内容に鑑みて当業者には自明であろう。